【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
流体試料において目的の分析物を検出するためのセンサーであって、該センサーは、
複数の表面、ここでそれぞれの表面は、間隙を画定し、かつ目的の分析物を含まない流体試料をはじきそれにより該流体試料が間隙に浸透することを防ぐように初期疎水性を有し、少なくとも1つの表面は流体流入口を画定する；および
該分析物に結合する結合材料、ここで該センサーは、分析物が結合材料に結合する場合に、複数の表面の少なくとも1つの濡れ性が、該初期疎水性を克服しかつ分析物を含む流体試料の該表面により画定されるそれぞれの間隙への浸透が可能になるのに十分高い程度にまで変化するように構成される、
を含む、センサー。
【請求項２】
分析物が結合材料に結合する場合に、複数の間隙中に存在する流体の量が変化し、それにより該センサーの少なくとも一部の屈折率が変化し、該センサーにおいて検出可能な色変化を引き起こすように構成される、請求項１記載のセンサー。
【請求項３】
疎水性材料が複数の表面上にコーティングされる、請求項１または２記載のセンサー。
【請求項４】
複数の表面を含む中実構造を含む、請求項１〜３いずれか記載のセンサー。
【請求項５】
該結合材料が、複数の表面の少なくとも1つの上にコーティングされる、請求項１〜４いずれか記載のセンサー。
【請求項６】
該構造が、結合材料で形成される、請求項４記載のセンサー。
【請求項７】
該構造が、誘電性材料または金属性材料の少なくとも1つを含む、請求項４または５記載のセンサー。
【請求項８】
該構造が、逆オパールフォトニック結晶または逆オパールフィルムの少なくとも1つを含む、請求項４〜７いずれか記載のセンサー。
【請求項９】
それぞれの間隙が実質的に球状に形作られる、請求項１〜８いずれか記載のセンサー。
【請求項１０】
それぞれの間隙が実質的に円筒形に形作られる、請求項１〜７いずれか記載のセンサー。
【請求項１１】
それぞれの円筒形の間隙の底部に配置される金属およびそれぞれの円筒形の間隙の頂部の外側に配置される金属をさらに含む、請求項１０記載のセンサー。
【請求項１２】
複数の間隙の少なくともいくつかが相互連結される、請求項１〜９いずれか記載のセンサー。
【請求項１３】
複数の間隙が互いに分離される、請求項１〜１１いずれか記載のセンサー。
【請求項１４】
複数の間隙が周期的分布を含む、請求項１〜１３いずれか記載のセンサー。
【請求項１５】
隣接する間隙が、1ナノメートル〜5000ナノメートルの距離だけ離れて間隔を開けられる、請求項１４記載のセンサー。
【請求項１６】
隣接する間隙が、可視光の波長範囲に相当する距離だけ離れて間隔を開けられる、請求項１４または１５記載のセンサー。
【請求項１７】
該結合材料が、該分析物を受容するように形作られた空洞を画定する分子鋳型(molecularly imprinted)ポリマーを含む、請求項１〜１６いずれか記載のセンサー。
【請求項１８】
結合材料が有機ポリマーである、請求項１〜１７いずれか記載のセンサー。
【請求項１９】
結合材料がハイブリッドポリマーである、請求項１〜１７いずれか記載のセンサー。
【請求項２０】
流体レセプタクルまたはストローの表面上に配置されるかまたは該表面内に一体化される、請求項１〜１９いずれか記載のセンサー。
【請求項２１】
流体試料中の目的の分析物を検出するための方法であって、
(a)センサーと流体試料を接触させる工程、ここで該センサーは、
(i)   複数の表面、ここでそれぞれの表面は、間隙を画定し、かつ目的の
分析物を含まない流体試料をはじきそれにより該流体試料が間隙に
浸透することを防ぐように初期疎水性を有し、少なくとも1つの表面
は流体流入口を画定する；および
(ii)  該分析物に結合する結合材料、ここで該センサーは、分析物が結合材
料に結合する場合に、複数の表面の少なくとも1つの濡れ性が、該初
期疎水性を克服しかつ分析物を含む流体試料の該表面により画定さ
れるそれぞれの間隙への浸透が可能になるのに十分高い程度にまで
変化するように構成される、
を含む；ならびに
(b)該センサーが流体試料と接触した場合に該流体試料が少なくとも1つの間隙に浸透するかどうかを検出する工程、ここで該流体試料の少なくとも1つの間隙への浸透は、流体試料中に分析物が存在することを示す、
を含む、方法。
【請求項２２】
分析物が結合材料に結合した際に、複数の間隙中に存在する流体の量が変化し、それにより該センサーの少なくとも一部の屈折率が変化し、該センサーにおいて検出可能な色変化を引き起こすように、該センサーが構成される、請求項２１記載の方法。
【請求項２３】
疎水性材料が、複数の表面上にコーティングされる、請求項２１または２２記載の方法。
【請求項２４】
該センサーが、複数の表面を含む中実構造を含む、請求項２１〜２３いずれか記載の方法。
【請求項２５】
該結合材料が、複数の表面の少なくとも1つの上にコーティングされる、請求項２１〜２４いずれか記載の方法。
【請求項２６】
該構造が、結合材料で形成される、請求項２４記載の方法。
【請求項２７】
該構造が、誘電性材料または金属性材料の少なくとも1つを含む、請求項２４または２５記載の方法。
【請求項２８】
該構造が、逆オパールフォトニック結晶または逆オパールフィルムの少なくとも1つを含む、請求項２４〜２７いずれか記載の方法。
【請求項２９】
それぞれの間隙が実質的に球状に形作られる、請求項２１〜２８いずれか記載の方法。
【請求項３０】
それぞれの間隙が実質的に円筒形に形作られる、請求項２１〜２７いずれか記載の方法。
【請求項３１】
該センサーが、それぞれの円筒形の間隙の底部に配置される金属およびそれぞれの円筒形の間隙の頂部の外側に配置される金属をさらに含む、請求項３０記載の方法。
【請求項３２】
分析物のラマンスペクトルを検出するための分光器を使用して、分析物が流体試料中に存在することを確認する工程をさらに含む、請求項３１記載の方法。
【請求項３３】
複数の間隙の少なくともいくつかが相互連結される、請求項２１〜２９いずれか記載の方法。
【請求項３４】
複数の間隙が互いに分離される、請求項２１〜３２いずれか記載の方法。
【請求項３５】
複数の間隙が周期的分布を含む、請求項２１〜３４いずれか記載の方法。
【請求項３６】
隣接する間隙が、1ナノメートル〜5000ナノメートルの距離だけ離れて間隔を開けられる、請求項３５記載の方法。
【請求項３７】
隣接する間隙が、可視光の波長範囲に相当する距離だけ離れて間隔を開けられる、請求項３５または３６記載の方法。
【請求項３８】
該結合材料が、該分析物を受容するように形作られた空洞を画定する分子鋳型ポリマーを含む、請求項２１〜３７いずれか記載の方法。
【請求項３９】
結合材料が有機ポリマーである、請求項２１〜３８いずれか記載の方法。
【請求項４０】
結合材料がハイブリッドポリマーである、請求項２１〜３８いずれか記載の方法。
【請求項４１】
流体試料中の目的の分析物を検出し得るセンサーを製造する方法であって、
(a)ポリマー材料の液体前駆体と複数の目的の分析物を混合して、ポリマー材料の混合された液体前駆体を作製する工程；
(b)ポリマー材料の混合された液体前駆体と複数の鋳型を一緒に集合させて、共アセンブリを作製する工程；
(c)共アセンブリを固化する工程；
(d)固化された共アセンブリから複数の鋳型を除去して、固化された共アセンブリについての複数の表面を作製する工程、ここでそれぞれの表面は、固化された共アセンブリ内に間隙を画定する；
(e)固化された共アセンブリから複数の分析物を除去して、複数の分析物を受容するように形作られた複数の空洞を画定する分子鋳型ポリマーを作製する工程；および
(f)疎水性材料を用いて複数の表面をコーティングする工程、その結果、それぞれの表面は、目的の分析物を含まない流体試料をはじきそれにより該流体試料がそれぞれの表面により画定されるそれぞれの間隙に浸透することを防ぐように初期疎水性を有する、
を含み、該センサーは、分析物が分子鋳型ポリマーと接触して空洞内に配置される場合に、複数の表面の少なくとも1つの濡れ性が、該初期疎水性を克服しかつ分析物を含む流体試料の該表面により画定されるそれぞれの間隙への浸透が可能になるのに十分高い程度にまで変化するように構成される、方法。
【請求項４２】
それぞれの鋳型が実質的に球状に形作られる、請求項４１記載の方法。
【請求項４３】
それぞれの間隙が実質的に球状に形作られる、請求項４１または４２記載の方法。
【請求項４４】
それぞれの鋳型が実質的に円筒形に形作られる、請求項４１記載の方法。
【請求項４５】
それぞれの間隙が実質的に円筒形に形作られる、請求項４１または４４記載の方法。
【請求項４６】
それぞれの円筒形の間隙の底部およびそれぞれの円筒形の間隙の頂部の外側に、金属を配置する工程をさらに含む、請求項４５記載の方法。
【請求項４７】
複数の間隙の少なくともいくつかが相互連結される、請求項４１〜４３いずれか記載の方法。
【請求項４８】
複数の間隙が互いに分離される、請求項４１〜４６いずれか記載の方法。
【請求項４９】
共アセンブリを固化する工程が、周期的分布を有するように鋳型を配置することを含む、請求項４１〜４８いずれか記載の方法。
【請求項５０】
隣接する鋳型が、1ナノメートル〜5000ナノメートルの距離だけ離れて間隔を開けられる、請求項４９記載の方法。
【請求項５１】
隣接する鋳型が、可視光の波長範囲に相当する距離だけ離れて間隔を開けられる、請求項４９または５０記載の方法。
【請求項５２】
共アセンブリが、熱処理、光誘導固化、放射線誘導固化または化学反応誘導固化の少なくとも1つにより固化される、請求項４１〜５１いずれか記載の方法。
【請求項５３】
ポリマー材料の液体前駆体が有機ポリマーである、請求項４１〜５２いずれか記載の方法。
【請求項５４】
ポリマー材料の液体前駆体が無機ポリマーである、請求項４１〜５２いずれか記載の方法。
【請求項５５】
センサーを、流体レセプタクルまたはストローの表面上に配置させるかまたは該表面内に一体化する工程をさらに含む、請求項４１〜５４いずれか記載の方法。
【請求項５６】
該流体レセプタクルがカップまたはグラスである、請求項５５記載の方法。
【手続補正２】
【補正対象書類名】明細書
【補正対象項目名】００１０
【補正方法】変更
【補正の内容】
【００１０】
第1の局面において、本発明は、流体試料中の目的の分析物を検出するための比色センサーに関する。いくつかの態様において、該センサーは、目的の分析物を受容するように形作られる空洞を画定する複数の表面および分子鋳型(molecularly imprinted)ポリマーを含む。それぞれの表面は間隙を画定し、少なくとも1つの表面は流体流入口を画定する。いくつかの実施において、該センサーは、分析物が分子鋳型ポリマーと接触して空洞内に配置される場合に、複数の表面の少なくとも1つの濡れ性(wettability)が変化して、それにより該センサー中で検出可能な色変化が起こるように構成される。いくつかの適用において、該センサーは、空洞が分析物を受容する際に、間隙に存在する流体の量が変化して、それにより該センサーの少なくとも一部の屈折率が変化するように構成される。
【手続補正３】
【補正対象書類名】明細書
【補正対象項目名】００１１
【補正方法】変更
【補正の内容】
【００１１】
いくつかの変形において、以下の1つ以上が適用され得る：疎水性材料は複数の表面にコーティングされ得；該センサーは複数の表面を含む中実構造を含み得；分子鋳型ポリマーは、有機ポリマー、無機ポリマーまたはハイブリッドポリマー(有機および無機の両方の成分を含む)であり得；分子鋳型ポリマーは複数の表面の1つ以上にコーティングされ得；構造は、分子鋳型ポリマーで形成され得；構造は、誘電性材料および/または金属性材料を含み得；および/または構造は、逆オパールフォトニック結晶または逆オパールフィルムを含み得る。さらに、いくつかの適用において、以下の1つ以上が適用され得る：それぞれの間隙は実質的に球状に形作られ得；それぞれの間隙は実質的に円筒形に形作られ得；複数の間隙の少なくともいくつかは相互連結され得；複数の間隙は互いに分離され得；複数の間隙は周期的分布を有し得；隣接する間隙は、1ナノメートル〜1000ナノメートルの距離だけ離れて間隔を開けられ得；および/または隣接する間隙は、可視光の波長範囲に相当する距離だけ離れて間隔を開けられ得る。
【手続補正４】
【補正対象書類名】明細書
【補正対象項目名】００１３
【補正方法】変更
【補正の内容】
【００１３】
第2の局面において、本発明は、流体試料中の目的の分析物を検出するための方法に関する。いくつかの態様において、該方法は、(a)比色センサーと流体試料を接触させるプロセス工程および(b)該センサーと流体試料を接触する際に、色変化が起こるかどうかを検出するプロセス工程を含む。色変化は、流体試料中に分析物が存在することを示す。いくつかの実施において、該センサーは、複数の表面および目的の分析物を受容するように形作られる空洞を画定する分子鋳型ポリマーを含む。それぞれの表面は間隙を画定し、少なくとも1つの表面は流体流入口を画定する。いくつかの適用において、該センサーは、分析物が分子鋳型ポリマーと接触して空洞内に配置される場合に、複数の表面の少なくとも1つの濡れ性が変化して、それによりセンサー中で検出可能な色変化が起こるように構成される。いくつかの実施において、該センサーは、空洞が分析物を受容する際に、間隙中に存在する流体の量が変化して、それにより該センサーの少なくとも一部の屈折率を変化するように構成される。
【手続補正５】
【補正対象書類名】明細書
【補正対象項目名】００１４
【補正方法】変更
【補正の内容】
【００１４】
いくつかの変形において、以下の1つ以上が適用され得る：疎水性材料は複数の表面上にコーティングされ得；該センサーは複数の表面を含む中実構造を含み得；分子鋳型ポリマーは、有機ポリマー、無機ポリマーまたはハイブリッドポリマーであり得；分子鋳型ポリマーは、複数の表面の1つ以上にコーティングされ得；構造は、分子鋳型ポリマーで形成され得；構造は、誘電性材料および/または金属性材料を含み得；および/または構造は、逆オパールフォトニック結晶または逆オパールフィルムを含み得る。さらに、いくつかの適用において、以下の1つ以上が適用され得る：それぞれの間隙は実質的に球状に形作られ得；それぞれの間隙は実質的に円筒形に形作られ得；複数の間隙の少なくともいくつかは相互連結され得；複数の間隙は互いに分離され得；複数の間隙は周期的分布を有し得；隣接する間隙は、1ナノメートル〜1000ナノメートルの距離だけ離れて間隔を開けられ得；および/または隣接する間隙は、可視光の波長範囲に相当する距離だけ離れて間隔を開けられ得る。
【手続補正６】
【補正対象書類名】明細書
【補正対象項目名】００１６
【補正方法】変更
【補正の内容】
【００１６】
第3の局面において、本発明は、流体試料中の目的の分析物を検出し得る比色センサーを製造する方法に関する。いくつかの態様において、該方法は、(a)ポリマー材料(例えば、有機、無機またはハイブリッドポリマー材料)の液体前駆体と複数の目的の分析物を混合して、ポリマー材料の混合された液体前駆体を作製するプロセス工程；(b)ポリマー材料の混合された液体前駆体と複数の鋳型を一緒に集合させて、共アセンブリを作製するプロセス工程；(c)共アセンブリを固化するプロセス工程；(d)固化された共アセンブリから鋳型を除去して、固化された共アセンブリについての複数の表面を作製するプロセス工程(それぞれの表面は、固化された共アセンブリ内に間隙を画定する)；および(e)固化された共アセンブリから分析物を除去して、分析物が分子鋳型ポリマーと接触して空洞内に配置される場合に、複数の表面の少なくとも1つの濡れ性が変化して、それによりセンサー内で検出可能な色変化が起こるように、複数の分析物を受容するように形作られた複数の空洞を画定する分子鋳型ポリマーを作製するプロセス工程を含む。いくつかの変形において、該方法はさらに、複数の表面を疎水性材料でコーティングするプロセス工程を含む。いくつかの実施において、共アセンブリは、熱処理、光誘導固化、放射線誘導固化および/または化学反応誘導固化の1つ以上により固化される。
【手続補正７】
【補正対象書類名】明細書
【補正対象項目名】００１９
【補正方法】変更
【補正の内容】
【００１９】
図面において、同様の参照記号は一般的に、異なる図面を通して同じ部分を言及する。明確化のために、全ての図において全ての構成成分が表示されないことがある。また、図面は必ずしも同じ縮尺ではなく、その代わりに本発明の原理の説明において、一般的に強調がなされ得る。以下の記載において、本発明の種々の態様は以下の図面を参照して記載される。
【図１−１】図1Aは、本発明のいくつかの態様による、中実構造内に配列される空隙/孔のアレイを有する比色センサーの上面斜視図を模式的に示す。図1Bは、本発明のいくつかの態様による、分子鋳型ポリマー(MIP)材料が選択された空隙/孔の表面のいくつかの部分に形成された(例えばコーティングされた)図1Aの比色センサーの上面斜視図を模式的に示す。図1Cは、本発明のいくつかの態様による、目的の標的分析物を含まない流体の存在下での図1Bのセンサー中に形成されたMIPでコーティングされた空隙/孔の1つ中の充填されない流体状態の断面図を模式的に示す。図1Dは、本発明のいくつかの態様による、目的の標的分析物を含む流体およびMIPでコーティングされた表面のいくつかの部分を濡らすための流体の吸着の存在下での図1Bのセンサー中に形成されたMIPでコーティングされた空隙/孔の1つ中の充填された流体状態の断面図を模式的に示す。
【図１−２】図1Eは、本発明のいくつかの態様による、疎水性材料およびMIP材料の両方でそれぞれコーティングされた2つの空隙/孔の断面図を模式的に示す。図1Fは、本発明のいくつかの態様による、空隙/孔の断面図を模式的に示し、金属ナノ粒子でドーピングされている空隙/孔を画定する表面壁の詳細を含む。
【図２】図2は、本発明のいくつかの態様による、逆オパールフィルム比色センサーの一単位の断面図を模式的に示す。
【図３】図3Aは、本発明のいくつかの態様による、中実構造がMIP材料で形成され空隙/孔がMIP材料中に形成される、図1Aの比色センサーの上面斜視図を模式的に示す。図3Bは、本発明のいくつかの態様による、目的の標的分析物を含まない流体の存在下での図3Aのセンサー中に形成された空隙/孔の1つ内の充填されない流体状態の断面図を模式的に示す。図3Cは、本発明のいくつかの態様による、目的の標的分析物を含む流体およびMIP表面のいくつかの部分を濡らすための流体の吸着の存在下での図3Aのセンサー中に形成された空隙/孔の1つ内の充填された流体状態の断面図を模式的に示す。
【図４】図4は、本発明のいくつかの態様による、中実構造内に配列された円筒形または実質的に円筒形の間隙(例えばナノホール)のアレイを有する比色センサーの上面斜視図を模式的に示す。
【図５】図5は、本発明のいくつかの態様による、図1Bの比色センサーにおける選択された空隙/孔の表面のいくつかの部分上のコーティングとしての適用のためのMIP層を製造する第1の方法を模式的に示す。
【図６】図6は、本発明のいくつかの態様による、図1Bの比色センサーにおける選択された空隙/孔の表面のいくつかの部分上のコーティングとしての適用のためのMIP層を製造する第2の方法を模式的に示す。
【図７】図7は、本発明のいくつかの態様による、基板中に配列された複数の間隙(例えばナノホール)を有するプラスモン共鳴型比色センサーの上面斜視図を模式的に示す。
【図８】図8Aは、本発明のいくつかの態様による、基板中に配列された複数の間隙(例えばナノホール)を有するプラスモン共鳴型センサーの断面図を模式的に示す。図8Bは、本発明のいくつかの態様による、基板の表面のナノホールの周囲およびナノホールの底部に金属デポジットを有する基板中に配列された複数の間隙(例えばナノホール)を有するプラスモン共鳴型比色センサーの断面図を模式的に示す。
【図９】図9Aは、本発明のいくつかの態様による、基板の第1の領域中に配列された複数の間隙(例えばナノホール)の第1のサブピクセルアレイおよび基板の第2の領域中に配列された複数の間隙(例えばナノホール)の第2のサブピクセルアレイを有する双方向または並列の表面プラスモン共鳴型比色センサーの断面図を模式的に示す。図9Bは、本発明のいくつかの態様による、図9Aの双方向または並列の表面プラスモン共鳴型比色センサーの平面図を模式的に示す。図9Cは、本発明のいくつかの態様による、基板の表面のナノホールの頂部およびナノホールの底部の周囲に金属デポジットを有する図9Aの双方向または並列の表面プラスモン共鳴型比色センサーの断面図を模式的に示す。
【図１０】図10は、本発明のいくつかの態様による、構造色型比色センサーまたは表面プラスモン共鳴型比色センサーを製造するための例示的なフローチャートを示す。
【図１１−１】図11Aは、本発明のいくつかの態様による、プラスモン比色センサーを製造する方法における工程を模式的に示す。
【図１１−２】図11Bは、図11Aに示される比色センサーを製造するための例示的なフローチャートを示す。
【図１２】図12は、本発明のいくつかの態様による、流体試料中の目的の標的分析物を検出するための比色センサーと組み合わせた使用のための例示的な構造を模式的に示す。
【図１３】図13Aは、本発明のいくつかの態様による、金属が存在しないナノピラーのアレイの上面斜視図を模式的に示す。図13Bは、図13Aに示される金属が存在しないナノピラーのアレイの側面図を模式的に示す。図13Cは、本発明のいくつかの態様による、単一のプラスモンピクセルを模式的に示す。図13Dは、本発明のいくつかの態様による、図13Aおよび13Bに示されるが金属が存在するナノピラーのアレイの側面図を模式的に示す。
【図１４】図14Aおよび14Bは、本発明のいくつかの態様による、目的の分析物を含む流体を検出するために、図13Dに示される比色センサーをどのように操作するかを模式的に示す。
【図１５】図15は、図13Dに示される比色センサーを製造するための例示的なフローチャートを示す。
【手続補正８】
【補正対象書類名】明細書
【補正対象項目名】００３８
【補正方法】変更
【補正の内容】
【００３８】
比色センサーとしての使用のための例示的な3D多孔質フォトニックセル構造100を図1Aに示す。いくつかの適用において、該セル構造100は、複数の面を有する中実構造である基板110を含む。多孔質フォトニックセル100の基板110は、有機、無機もしくはハイブリッドの分子鋳型ポリマー(「MIP」)材料(以下により詳細に記載される)、誘電性もしくは絶縁性材料(例えばシリカ、二酸化チタン、窒化ケイ素等)、MIP材料でコーティングされた誘電性材料、金属性材料(例えば金、銀、アルミニウム等)、MIP材料でコーティングされた金属性材料、または任意のそれらの組合せにより作製され得る。
【手続補正９】
【補正対象書類名】明細書
【補正対象項目名】００５１
【補正方法】変更
【補正の内容】
【００５１】
しかしながら、図1Bを参照して、基板110内の空隙/孔105の全てまたは選択された数を画定する表面壁は、有機、無機またはハイブリッドの分子鋳型ポリマー(MIP)材料115の1つ以上の薄層でさらにコーティングされ得る。代替的に、コーティング115は、アプタマー材料もしくは配位化合物などの他の結合材料を含み得るかまたはそれらであり得る。コーティング115の厚さは、例えば1オングストローム(例えば分子単層の場合)から空隙/孔105の半径に達する厚さまでの範囲であり得る。
【手続補正１０】
【補正対象書類名】明細書
【補正対象項目名】００６５
【補正方法】変更
【補正の内容】
【００６５】
ある態様において、可溶性で処理可能なMIPコーティング層は、アプタマーのコーティングまたは分析物分子に特異的に結合する配位化合物などの他の結合材料に置き換えられ得る。アプタマーは、特定の標的分子に結合するオリゴヌクレオチド分子であり、それらは分子鋳型ポリマーと同様のプロセスで作製され得る。例えば、所望のオリゴヌクレオチド配列を決定するための印づけおよびSELEX(指数関数的増幅によるリガンドの系統的発展(systematic evolution of ligands by exponential enrichment))プロセスを介して、アプタマーを形成するために、ケタミンが分析物鋳型として使用され得る。末端官能基は、アプタマーのコーティングを多孔質フォトニックセル型比色センサー表面に結合させるように修飾され得る。
【手続補正１１】
【補正対象書類名】明細書
【補正対象項目名】００６８
【補正方法】変更
【補正の内容】
【００６８】
より詳細に、図3Aの比色センサーを製造する方法によると、適切な有機、無機またはハイブリッド(例えばTEOS、(3-アミノプロピル)トリエトキシシラン(APTES)または適切なシラン分子)ポリマー材料は、例えば標的分析物分子の認識のための空洞を作製するために、分子的に印をつけるために鋳型として働く目的の標的分析物と均一に混合され得る。いくつかの態様において、この混合された有機、無機またはハイブリッドポリマー材料の液体前駆体は、空隙/孔を作製するための一次的な(fugitive)材料であり得るポロゲン(例えばナノスフィア、マイクロスフィア等)と混合され得およびポロゲンを含み得る。空隙/孔の形状は球形であり得るかまたはポロゲンの形状であればいずれでもよい。混合された液体前駆体はまた、ゾル-ゲルプロセスを介して金属ナノ粒子(例えば金、銀および/または白金ナノ粒子)を含み得る。次いで、混合された液体前駆体は、適度な温度(例えば室温〜300℃の温度)下などの適切な反応条件下で固化されて、周期的な位置(例えば隣接するポロゲンが、1ナノメートル〜1000ナノメートルの間隔または可視光の波長範囲に対応する間隔で離されるように)でポロゲンを閉じ込め得る。固化方法としては、限定されないが、熱処理、光誘導固化、放射線誘導固化および化学反応誘導固化が挙げられ得る。いくつかの態様において、空洞鋳型として働く目的の標的分析物分子は、次いでMIPの分子鋳型空洞を形成するように除去される。分析物分子鋳型は、例えばSoxhlet抽出処理、超音波処理、適切な溶媒(例えばメタノール/酢酸または他の溶媒およびそれらの組合せ)を用いた洗浄処理を使用して除去され得る。球状または他の形状の空隙/孔を形成するポロゲン、例えばコロイド状ポロゲン(例えば球状ラテックスナノ粒子)は、熱処理(例えば500℃より高い焼結)を使用してまたは適切な溶媒もしくは溶媒系を使用する溶解により除去され得る。前記のように、得られた球状もしくは他の形状の空隙/孔の少なくともいくつかは相互連結され得るか、または代替的に得られた球状もしくは他の形状の空隙/孔は互いに分離され得る。さらに、記載されるように、空隙/孔を形成するために使用されるポロゲンは、球以外の形状(例えば円筒形または別の形状)を有し得るので、得られた空隙/孔は球以外の形状(例えば図4に示されるような円筒形または使用されるポロゲンの形状と同様の別の形状)を有する。